(57)【要約】【課題】  本発明の目的は、ケ−シングと便座を連結する便座コ−ドが露出することによって、外観上や使い勝手上の不具合の生じない暖房便座装置を提供することにある。また、便座コ−ドをケ−シングに取付ける構造を提案することにある。【解決手段】  ケ−シング内部で接続してあるコ−ドをケ−シングに立てたヒンジ内部を通し、ヒンジ側面に設けた開口部を通して便座内部のヒ−タ−ユニットへ接続する。この時、コ−ド部分の末端部の形状は、ケ−スカバ−ヒンジ部側面の開口に嵌まり込む形状で、コの字型の加え込み形状とする。また、コ−ドをケ−スカバ−裏面より挿入後、コ−ドの抜け止めおよびぐらつき防止の為、ケ−スカバ−裏面よりフックを差し込むようにする【選択図】  図１
2004351193.tif 000002
【特許請求の範囲】
【請求項１】
便器に設置され、使用者が着座する便座装置と、前記便座装置と電気的に結合する本体部と、前記便座装置と前記本体部とを電気的に結合するための配線コードとを有するトイレ装置において、前記本体部の外郭を構成するケ−シングに突設され、前記便座装置を前記本体部に回動可能に固定するためのヒンジ構造を有し、前記配線コードを前記本体部から前記ヒンジ構造の内部を経由して、前記ヒンジ構造の側面に設けたヒンジ開口部から外部に延出させて前記便座装置の回動軸心近傍に設けた便座開口部から前記便座装置の内部へと配設したことを特徴とするトイレ装置。
【請求項２】
前記配線コードは、前記ヒンジ開口部に嵌合するブッシュを有し、前記ブッシュは、前記ヒンジ構造の一部をくわえ込んで前記ブッシュを位置決めする挟着形状部を有することを特徴とする請求項1記載のトイレ装置。
【請求項３】
前記ブッシュを前記ヒンジ構造の裏面に設けたブッシュ収納部に挿入後、固定フック部材をケ−スカバ−裏面側より前記ブッシュに差し込むことによって、前記ブッシュを固定することを特徴とする請求項２記載のトイレ装置。
【請求項４】
前記配線コードは、便座装置の表面を暖めるため便座装置に設けられた電熱ヒータへの電力給電を行うためのものであることを特徴とする請求項１ないし３のいずれかに記載のトイレ装置。
【発明の詳細な説明】
【技術分野】
【０００１】
本発明は、トイレの便座装置に係り、特に便座の表面を暖める暖房便座装置のヒ−タ−への給電用コ−ドの配線構造に関する。
【背景技術】
【０００２】
局部洗浄機能を持つ温水洗浄便座は、脱臭機能、局部洗浄機能および便座暖房機能などをまとめてケ−シング内に備え、このケ−シングに便座および便蓋を連結して便器に据え付けるのが一般的な構成である。
【０００３】
図１１は、従来のコ−ド露出型のトイレ装置１を示している。便器本体１０にはその後端部上面にケ−シング１１を固定し、このケ−シング１１には便座１２及び便蓋１３をそれぞれ開閉自在に取付けている。トイレ装置１は、そのケ−シング１１の内部に局部洗浄用のノズル装置や洗浄水の供給配管及びコントロ−ラ等を備え、便座１２の暖房の制御も含めて行う機能を持ち、その操作はケ−シング１１に備えた補助操作盤（図示省略）またはリモ−トコントロ−ラを使用して行う。
【０００４】
便座１２に暖房機能を持たせる場合では、その内部に加熱用のヒ−タ−を設け、ケ−シング１１に備えたコントロ−ラとの間に便座コ−ド１４を配線する（例えば、特許文献１参照）。このコ−ド１４は、ケ−シング１１及び便座１２のそれぞれの側面でブッシュによって固定保持され、便座１２の開閉動作に追従できるように少し垂れ下がる長さとしたり、伸縮可能なコイル状のものが使用される（例えば、特許文献1参照）。
【特許文献１】特開平９−２１５６３７号公報
【発明の開示】
【発明が解決しようとする課題】
【０００５】
従来のトイレ装置１においては、便座１２とケ−シング１１を連結する便座コ−ド１４が外部に露出しているので、見栄えが悪いという問題があった。またトイレ空間内を清掃する際、便座コ−ド１４のぶら下がりが有る為不用意にコ−ドに接触して便座および便蓋を破損する課題も有している。
【０００６】
本発明は、上記課題を解決するためになされたものである。本発明の目的は、ケ−シングと便座を連結する便座コ−ドが使用者の目にとまり難い位置に露出させることによって、外観上や使い勝手上の不具合の生じない便座装置を提供することにある。また、便座コ−ドをケ−シングに取付ける構造を提案することにある。
【課題を解決するための手段】
【０００７】
上記技術的課題を解決するために本発明の請求項１記載のトイレ装置において講じた技術的手段（以下第１の技術的手段と称する。）は、便器に設置され、使用者が着座する便座装置と、前記便座装置と電気的に結合する本体部と、前記便座装置と前記本体部とを電気的に結合するための配線コードとを有するトイレ装置において、前記本体部の外郭を構成するケ−シングに突設され、前記便座装置を前記本体部に回動可能に固定するためのヒンジ構造を有し、前記配線コードを前記本体部から前記ヒンジ構造の内部を経由して、前記ヒンジ構造の側面に設けたヒンジ開口部から外部に延出させて前記便座装置の回動軸心近傍に設けた便座開口部から前記便座装置の内部へと配設したことを特徴とする。
【０００８】
上記第１の技術的手段による効果は、以下のようである。
即ち、本体部と便座装置を電気的に結合するコードを、使用者から最も遠くて目につき難い位置に配設したため、便座装置の機能を損ねることなく見映えを良く出来る。また、便座を回動支持するためのケ−シングに突設されたヒンジ構造を配線コードの経路として利用するため、前記のようなヒンジ構造を有するトイレ装置であれは多機種への応用が容易であるといった効果を有する。
【０００９】
上記技術的課題を解決するために本発明の請求項２記載のトイレ装置において講じた技術的手段（以下第２の技術的手段と称する。）は、請求項１記載のトイレ装置において、前記配線コードは、前記ヒンジ開口部に嵌合するブッシュを有し、前記ブッシュは、前記ヒンジ構造の一部を加え込んで前記ブッシュを位置決めする挟着形状部を有することを特徴とする。
【００１０】
上記第２の技術的手段による効果は、以下のようである。
即ち、コ−ドブッシュ部分の一部をコの字型の形状とすることで、コ−ドをケ−シングに嵌め込む際、嵌まり込みの方向・位置が一意に決まり組立てを円滑に行うことが出来る。
【００１１】
上記技術的課題を解決するために本発明の請求項３記載のトイレ装置において講じた技術的手段（以下第３の技術的手段と称する。）は、請求項２記載のトイレ装置において、前記ブッシュを前記ヒンジ構造の裏面に設けたブッシュ収納部に挿入後、固定フック部材をケ−スカバ−裏面側より前記ブッシュに差し込むことによって、前記ブッシュを固定することを特徴とする。
【００１２】
上記第３の技術的手段による効果は、以下のようである。即ち、配線コ−ドをブッシュを介してトイレ装置本体へ容易に固定できるとともに、配線コ−ドの抜け止め・ぐらつきを防止できる効果を有する。
【００１３】
上記技術的課題を解決するために本発明の請求項４記載のトイレ装置において講じた技術的手段（以下第４の技術的手段と称する。）は、請求項１ないし３のいずれかに記載のトイレ装置において、前記配線コードは、便座装置の表面を暖めるため便座装置に設けられた電熱ヒータへの電力給電を行うためのものであることを特徴とする。
【００１４】
上記第４の技術的手段による効果は、以下のようである。即ち、便座装置へのヒータ電力の供給を見映えを良く行なえる。
【発明の効果】
【００１５】
本件発明は、便座の回動軸近傍に配線コードを配置できるため、便座の回動に支障なくかつ、掃除等の邪魔にもならず、外観の見映えも良いトイレ装置を提供できる。
【発明を実施するための最良の形態】
【００１６】
添付した図面を参照しつつ、本発明を具体化した実施の形態につき説明し、本発明の理解に供する。
【００１７】
ここに、図１及び図２は本発明に係るトイレ装置２の一部拡大斜視図（便座開時）である。
図１に示したように、本発明に係るトイレ装置２は、陶器製の便器（省略）の後ろ側上部に設けられた本体部と本体部を覆うケ−シング１１と便座１２とを有している。ケ−シング１１の前側には便座１２を本体部に回動可能に固定するためのヒンジ構造としてのヒンジポスト１５が設けられ、ヒンジポスト１５にはヒンジサポ−ト１６及びヒンジカバ−１７が装着されている。また、ヒンジポスト１５の裏側は図３に示したように、後述するヒンジブッシュ５０を収納・固定するためのブッシュ収納部８０を有した形状となっている。
【００１８】
便座１２内には保温用のヒ−タ−と温度センサ−が内蔵され、便座１２を所定温度に加熱・保温している。便座１２を保温するための便座コ−ド１４は図４に示されるような略Ｓ字の形状となっており、便座保温用のヒ−タ−に電力を供給する電力線と、温度センサ−からの便座温度情報を本体部に伝えるための信号線との各々被覆された合計４本の電線からなるいわゆる４芯のコードであり、その電線の端末には図示されていない接続用のケ−ブルコネクタが接続されている。また、便座コ−ド１４の両端には装置本体部、便座装置各々に固定・封止するためのヒンジブッシュ５０、便座ブッシュ６０が形成されている。
【００１９】
便座コ−ド１４と便座１２との本体部への接続・組み立て方法について説明する。
まず図６に示したように、機能部と電気的に接続した便座コ−ド１４の便座ブッシュ６０側を図中の矢印のように、ケ−シング１１の裏面からヒンジポスト１５の内部に挿入し、ヒンジポスト１５の側面部に設けられた半円状のヒンジ開口部１９から本体部外へ取り出す。
【００２０】
次に、コ−ド末端部分にあるヒンジブッシュ５０のコの字形状をしたヒンジ挟着部５１をケ−シング１１のブッシュ固定部８３に挟着させてヒンジブッシュ５０の固定位置を決めるとともに、ヒンジブッシュ５０をケ−シング１１の裏面に設けられたヒンジブッシュ挿入部８２に嵌まり込むように押し込む。
【００２１】
その後、図５で示したようなコ−ド自体の抜け止め・ぐらつき防止のための固定フック部材としてのブッシュ押え具７０を図８に示したように、ヒンジブッシュ５０を挟み込むようにして１１挿入する。これにより、ブッシュ押え具７０とヒンジブッシュ５０との勘合がきつくなり、ヒンジブッシュ５０が容易に脱落することを防ぐことが出来る。
【００２２】
また、前記ヒンジブッシュ５０は弾性材料を使用し、前記ブッシュ押え具７０に図９のように突起部７０ａを形成することにより、図１０（ａ）、（ｂ）の取付断面図に示すごとくより前記ヒンジブッシュ５０に前記突起部７０ａが食い込み取り付けられるので、さらに脱落することの防止が可能となる。
【００２３】
次に、便座側の配線コードの接続・固定について説明する。まず、便座１２のヒンジ部裏側に設けられた便座開口部１８から取り出されている便座ヒータ用のケ−ブルコネクタと、便座コ−ド１４のケ−ブルコネクタ（図示せず）とを接続する。その後、接続されたケ−ブルコネクタ及び余長ケ−ブルを便座開口部１８から便座１２内に収納するとともに、便座ブッシュ６０を便座１２の便座開口部１８設けられたブッシュ固定座にセットする。次に、便座開口部１８を別部品のカバー（省略）にて塞いで便座側の便座コ−ド１４の接続・固定は完了する。
【００２４】
以上暖房便座の便座ヒータの配線コードを実施例として述べたが、本件発明の要旨はトイレ装置の便座と本体部との配線コードの取り回し構造に関するものであり、便座ヒータの配線だけに限らず、便座に設置された各種の機器、例えば体脂肪計や人体検知センサーといった機器と本体部とを電気的に接続するための配線コードに対しても適用可能である。
【図面の簡単な説明】
【００２５】
【図１】本発明の実施の形態に係るトイレ装置の便座開時の拡大斜視図である。
【図２】ケ−シングの便座コ−ド引き出し部のヒンジポスト部の拡大斜視図である。
【図３】ヒンジポスト部の裏側に設けたブッシュ収納部の拡大斜視図である。
【図４】便座コ−ド部分の全体斜視図（被覆部分のみで電線コードは省略）である。
【図５】ブッシュ押え具の全体斜視図である。
【図６】便座コ−ド部のケーシングへの取付け方法を示した、拡大斜視図である。
【図７】便座コ−ド部をケーシングに取付けた状態を示す拡大斜視図である。
【図８】便座コ−ド部のブッシュ押え具の取付け方法をしめした、拡大斜視図である。
【図９】ブッシュ押え具の全体斜視図（２）である。
【図１０】便座コ−ド部をケーシングに取り付けた際の断面図である。
【図１１】従来の実施の形態に係るトイレ装置の便座開時の全体斜視図である。
【符号の説明】
【００２６】
１…トイレ装置1
２…トイレ装置2
１０…便器
１１…ケ−シング
１２…便座
１３…便蓋
１４…便座コ−ド
１５…ヒンジポスト
１６…ヒンジサポ−ト
１７…ヒンジカバー
１８…便座開口部
１９…ヒンジ開口部
５０…ヒンジブッシュ
５１…本体挟着部
５２…ヒンジブッシュ挿入部
６０…便座ブッシュ
７０…ブッシュ押え具
７０ａ…突起部
８０…ブッシュ収納部
８１…ブッシュ押えリブ
８２…ヒンジブッシュ挿入部
【図１】
2004351193.tif 000003
【図２】
2004351193.tif 000004
【図３】
2004351193.tif 000005
【図４】
2004351193.tif 000006
【図５】
2004351193.tif 000007
【図６】
2004351193.tif 000008
【図７】
2004351193.tif 000009
【図８】
2004351193.tif 000010
【図９】
2004351193.tif 000011
【図１０】
2004351193.tif 000012
【図１１】
2004351193.tif 000013